(57)【特許請求の範囲】
【請求項１】
一方の部材に固定され、矩形穴が形成された雌部材と、前記矩形穴にスライド可能に係合するスライド部材と、を備え、
前記スライド部材が、他の部材に取り付けられた係合片が係合する係合部と、前記矩形穴よりも外形寸法が大きい平板部と、前記係合部の左右に位置し、前記矩形穴の縁部を乗り越え可能に設けられ前記平板部とで前記矩形穴の周縁部を挟持する爪部と、で構成され、
前記係合部の左右方向の幅を前記係合片の左右方向の幅よりも広くし、係合片を係合部内で左右方向にスライド可能としたことを特徴とするクリップ。
【請求項２】
エプロンの一端側を浴槽の縁部に引っ掛け、前記エプロンの他端側を回動させて床パンに載置された浴槽の洗い場側の周壁を覆う浴槽用エプロンの取付構造において、
前記エプロンの裏面から張り出すフランジ部と、
前記床パンと前記洗い場パンとの間に位置し、前記浴槽の周壁に対して平行に設けられた堰部と、
前記フランジ部及び前記堰部のうち何れか一方に固定され、前記フランジ部及び前記堰部のうち何れか他方に固定された係合片に係合可能な請求項１に記載のクリップと、
を有することを特徴とする浴槽エプロンの取付構造。
【発明の詳細な説明】
【０００１】
【発明の属する技術分野】
本発明は、２つの部材を互いに係合させるためのクリップ及び浴槽エプロンの取付構造に関する。
【０００２】
【従来の技術】
図５に示すように、バスユニット１００では、床パン１０２の上に浴槽１０４が載置されており、洗い場パン１０６側の浴槽１０４の壁面１０４Ａは、略矩形状に形成された化粧用のエプロン１０８で覆われるようになっている。
【０００３】
床パン１０２と洗い場パン１０６との間には、浴槽１０４と平行に堰部１１０が突設されており、この堰部１１０の上面は水平となって、雌部材１１２がネジ止めされている。雌部材１１２には略Ｕ字状に形成された係合部１１４が設けられており、弾性変形可能となっている。
【０００４】
一方、エプロン１０８の下側には、裏面から下フランジ部１１６が張り出しており、この下フランジ部１１６には雌部材１１２に係合可能な雄部材１１８がネジ止めされている。下フランジ部１１６に直交した状態で配置された雄部材１１８の立壁１１８Ａからは、下フランジ部１１６の張り出した方向に沿って略平行に係合片１２０が突設されている。
【０００５】
この係合片１２０は先端側及び基部側の肉厚が薄くなっており、係合片１２０の中央部及び基部の肉厚が最大となっている。また、係合片１２０の中央部の肉厚は、係合部１１４の端部１１４Ａの離間距離よりも大きくなっている。
【０００６】
これにより、係合片１２０は係合部１１４の奥方へ移動する前に、端部１１４Ａに当接し、この状態で、係合片１２０を押圧して、端部１１４Ａを押し広げ、係合片１２０が係合部１１４の奥方へ移動可能となる。係合片１２０が係合部１１４の奥方へ移動すると、係合部１１４の端部１１４Ａが復元して係合片１２０が抜け止めされ、雄部材１１８が雌部材１１２に係合されるようになっている。
【０００７】
ところで、エプロン１０８の上側には、段状に折曲された上フランジ部１１２が形成されており、浴槽１０４の壁面１０４Ａをエプロン１０８で覆うとき、上フランジ部１１２を浴槽１０４の開口縁部１０４Ｂに引っ掛け、この状態で、上フランジ部１１２側を支点として下フランジ部１１６側を回動させて、雄部材１１８及び雌部材１１２を介して下フランジ部１１６を堰部１１０に固定するが、雄部材１１８の係合片１２０を、図６（Ａ）の状態から雌部材１１２の係合部１１４の奥方へ移動させるとき、エプロン１０８の上フランジ部１１２側を支点として下フランジ部１１６側を回動移動させるため、係合片１２０の移動軌跡も円弧を描くこととなる。
【０００８】
このため、係合部１１４に対する係合片１２０の上下方向の位置は、係合部１１４の端部１１４Ａに当接した状態から係合部１１４の奥方へ移動するまでの間に、若干下方へ移動することになり、係合片１２０を係合部１１４の奥方へ移動させるとき、係合片１２０には無理な負荷が掛かる恐れがあり、図６（Ｂ）に示すように、係合片１２０が破損してしまう場合もある。
【０００９】
【発明が解決しようとする課題】
本発明は上記事実を考慮し、位置ズレを吸収可能なクリップ及び浴槽エプロンの取付構造を提供することを目的とする。
【００１０】
【課題を解決するための手段】
請求項１に記載の発明では、一方の部材に、矩形穴が形成された雌部材が固定されている。矩形穴にはスライド部材をスライド可能に係合させており、このスライド部材には、他の部材に取り付けられた係合片が係合する係合部が設けられている。
【００１１】
このため、雌部材と係合片との間で位置ズレが生じたとしても、スライド部材を介して雌部材と係合片とを係合させることで、係合片及びスライド部材をスライドさせて該位置ズレを吸収することができ、係合片に無理な負荷を掛けない状態で、係合片を係合部に係合させることができる。従って、無理な係合による係合片の破損の恐れはない。
【００１２】
また、スライド部材に平板部及び爪部を設けており、平板部は矩形穴よりも外形寸法を大きくし、爪部は矩形穴の縁部を乗り越え可能に設け、平板部とで矩形穴の周縁部を挟持するようにしている。
【００１３】
平板部は矩形穴よりも外形寸法が大きいため、矩形穴の周縁部に面接する。このため、平板部と爪部とで矩形穴の周縁部を挟持して、スライド部材を矩形穴に係合させることで、スライド部材をスライドさせるときに、スライド部材のガタを少なくすることができ、スライド部材をスムーズにスライドさせることができる。
【００１４】
さらに、係合部の左右方向の幅を係合片の左右方向の幅よりも広くし、係合片を係合部内で左右方向にスライド可能としている。
【００１５】
このため、スライド部材及び係合片を介して、雌部材に対して垂直方向及び水平方向において他の部材を相対移動させることができるので、一方の部材と他の部材との垂直方向及び水平方向の位置ズレを吸収することができる。
【００１６】
請求項２に記載の発明では、エプロンの一端側を浴槽の縁部に引っ掛け、前記エプロンの他端側を回動させて、床パンに載置された浴槽の洗い場側の周壁を覆う浴槽用エプロンの取付構造において、エプロンの裏面からフランジ部が張り出しており、一方、床パンと洗い場パンとの間には、浴槽の周壁に対して平行に堰部が設けられている。このフランジ部及び堰部のうち何れか一方にクリップを固定し、フランジ部及び堰部のうち何れか他方に固定された係合片に係合可能としている。
【００１７】
例えば、堰部にクリップを固定し、フランジ部に係合片を設ける。これにより、エプロンの一端側を浴槽の縁部に引っ掛け、エプロンの他端側を回動させて、係合片をクリップを構成する係合部に係合させ、係合片及び係合部を介して、浴槽の洗い場側をエプロンによって覆う。
【００１８】
ここで、エプロンの一端側を浴槽の縁部に引っ掛け、エプロンの他端側を回動させるため、係合片はエプロンの一端側を中心に円弧を描く様に移動し、係合部への係合過程において、係合片と係合部とで上下方向の位置ズレが生じるが、スライド部材を下方へスライドさせることで、該位置ズレを吸収することができる。
【００１９】
従って、係合部に対する係合片の上下方向の位置に応じて、スライド部材を介して係合部を移動させることで、係合部との位置ズレによる係合片の破損の恐れもなく、また、浴槽にエプロンを取り付ける際にスムーズな取付が可能となる。
【００２０】
【発明の実施の形態】
次に、本形態に係るクリップについて説明する。
【００２１】
図１に示すように、クリップ１０は合成樹脂によって成形された雌部材１２及びスライド部材１４で構成されており、同じく合成樹脂で成形された雄部材１６と係合可能となっている。
【００２２】
雄部材１６は略矩形状の立壁１８及び底部２０が垂直に交わっており、断面が略Ｌ字状を成している。雄部材１６の左右方向（矢印Ａ方向）の両端部及び中央部には、略三角形状のステイ部材２２が設けられ、雄部材１６の底部２０と立壁１８とを架渡し、雄部材１６の補強を行っている。
【００２３】
また、雄部材１６の底部２０には、中央部に位置するステイ部材２２を間において一対のボス２８が立設しており、固定ネジ３０（図３（Ａ）参照）が挿通可能な貫通穴３２が形成されている。
【００２４】
さらに、雄部材１６の立壁１８からは、係合片３４が直角に立設している。この係合片３４は先端側及び基部側の肉厚を薄くしており、係合片３４の中央部及び基部の肉厚が最大となるように形成されている。
【００２５】
一方、雌部材１２は略矩形状の立壁３６及び底部３８が垂直に交わり、断面が略Ｌ字状を成している。雌部材１２の左右方向の両端部には、略三角形状のステイ部材４０が設けられており、雌部材１２の底部３８と立壁３６とを架渡し、雌部材１２の補強を行っている。
【００２６】
また、雌部材１２の底部３８のステイ部材４０側には、一対の長穴部４２が形成されており、固定ネジ４４（図３（Ａ）参照）が挿通可能となっている。さらに、雌部材１２の立壁３６の中央部には、矩形穴４６が形成されている。
【００２７】
一方、スライド部材１４は、略矩形状の平板部４８を有しており、雌部材１２に形成された矩形穴４６の外形寸法よりも大きくなっている。この平板部４８の中央部には、矩形状の入口部５０が形成されており、入口部５０の縁部からは略角錐台状の係合部５２が平板部４８に対して略垂直に設けられている。
【００２８】
この係合部５２は雌部材１２に形成された矩形穴４６に挿通可能な大きさとなっている。係合部５２の左右に位置する側壁５４の外側には、平板部４８から雌部材１２の立壁３６の肉厚分離間した位置に爪部５８が形成されており、爪部５８同士の離間距離は、矩形穴４６の左右方向の寸法よりも長くなっている。
【００２９】
このため、矩形穴４６の縁部に爪部５８が当接した状態で係合部５２を圧入すると、矩形穴４６の縁部を乗り越え、爪部５８と平板部４８とで矩形穴４６の周縁部を挟持して、スライド部材１４が雌部材１２に係合する。
【００３０】
また、係合部５２は、図３（Ａ）に示すように、縦断面が略Ｕ字状となっており、上下に位置する側壁５６には、係合部５２の奥方側を残し略コ字状の切り込み部６０が形成され、弾性変形可能となっている。
【００３１】
側壁５６の先端面５６Ａは、互いに離間する方向へ向かって傾斜しており、間口を広げている。また、側壁５６の先端側は肉厚となっており、雄部材１６の係合片３４の中央部の肉厚よりも、側壁５６同士の離間距離の方が狭くなっている。
【００３２】
このため、係合片３４は、スライド部材１４の入口部５０を通過した後、係合部５２と係合する前に、係合片３４が側壁５６の先端面５６Ａに当接した状態で移動規制される。この状態で、係合片３４を圧入すると、側壁５６が押し広げられ、係合片３４が係合部５２の奥方へ移動可能となる。
【００３３】
また、係合部５２の左右方向の幅は、係合片３４の左右方向の幅よりも長くしている。このため、係合片３４を係合部５２に係合させた状態で、係合片３４は係合部５２内で左右方向にスライド可能となっている。
【００３４】
次に、本形態に係る浴槽エプロンの取付構造及びその作用について説明する。
【００３５】
図２に示すように、バスユニット６２の床パン６４の上に配置された浴槽６６の洗い場パン６８側の周壁６６Ａを、略矩形状に形成された化粧用のエプロン７２で覆う。床パン６４と洗い場パン６８との間には、浴槽６６と平行に断面が略コ字状の堰部７０が突設されており、堰部７０の上面７０Ａは水平となっている。この堰部７０の上面７０Ａに雌部材１２を固定させる。
【００３６】
ここで、予め、雌部材１２に形成された矩形穴４６には、スライド部材１４の係合部５２を圧入して爪部５８（図１参照）と平板部４８とで雌部材１２の周縁部を挟持し、矩形穴４６に対してスライド部材１４をスライド可能に係合させておく。
【００３７】
一方、図３（Ａ）に示すように、堰部７０の上面７０Ａには、所定の位置にネジ穴７１が形成されており、スライド部材１４が係合された状態で、雌部材１２の底部３８に形成された長穴部４２と位置合わせして、雌部材１２の底部３８を堰部７０の上面７０Ａに面接させ、固定ネジ４４によって雌部材１２を堰部７０に締結させる。
【００３８】
ところで、エプロン７２の下側には、エプロン７２の裏面側から下フランジ部７４が張り出しており、この下フランジ部７４には雌部材１２に係合可能な雄部材１６が固定可能となっている。
【００３９】
下フランジ部７４には、所定の位置にネジ穴３１が形成されており、雄部材１６の底部３８に形成された貫通穴３２と位置合わせして、雄部材１６の底部３８を下フランジ部７４に面接させ、固定ネジ３３によって雄部材１６を下フランジ部７４に締結させる。
【００４０】
一方、エプロン７２の上側には、段状に折曲された上フランジ部７６が形成されており、上フランジ部７６は浴槽６６の開口縁部６６Ｂに引っ掛け可能となっている。上フランジ部７６を浴槽６６の開口縁部６６Ｂに引っ掛けた状態で、上フランジ部７６側を支点として下フランジ部７４側を回動させると、図３（Ａ）に示すように、雄部材１６の係合片３４の先端が、スライド部材１４の入口部５０を通過して、係合部５２の側壁５６の先端面５６Ａに当接する。
【００４１】
この状態で、エプロン７２を押圧して、係合片３４の先端部によって、側壁５６の先端面５６Ａを押し広げ、係合片３４の中央部を通過させて、係合片３４を係合部５２の奥方へ移動させるが、エプロン７２は、上フランジ部７６側を支点として下フランジ部７４側を回動させるため、係合片３４は円弧を描いて移動する。従って、係合片３４が係合部５２の奥方へ移動する課程において、係合片３４は下方へ若干移動する。
【００４２】
このため、スライド部材１４を係合片３４の下方への移動量に応じて矩形穴４６内を下方へスライドさせる。これにより、図３（Ｂ）に示すように、係合片３４を係合部５２の奥方へスムーズに移動させることができる。
【００４３】
係合片３４が係合部５２の奥方へ移動すると、係合部５２の先端面５４Ａ、５６Ａが復元して係合片３４が抜け止めされ、雄部材１６が雌部材１２に係合される。これにより、雄部材１６及び雌部材１２を介して、浴槽６６の周壁６６Ａをエプロン７２で覆うことができる。
【００４４】
以上のような構成により、雌部材１２と係合片３４との間で上下方向に位置ズレが生じる場合でも、スライド部材１４を介して雌部材１２と係合片３４とを係合させることで、スライド部材１４をスライドさせて該位置ズレを吸収することができる。このため、係合片３４に無理な負荷を掛けない状態で、係合片３４を係合部５２に係合させることができるので、無理な係合による係合片３４の破損の恐れはない。
【００４５】
また、係合部５２に対する係合片３４の上下方向の位置に応じて、スライド部材１４を介して係合部５２を移動させることで、浴槽６６にエプロン７２を取り付ける際にスムーズな取付が可能となる。
【００４６】
ここで、スライド部材１４の平板部４８の外形寸法を矩形穴４６よりも大きくしているため、平板部４８は矩形穴４６の周縁部に面接可能となる。このため、平板部４８と爪部５８（図１参照）とで矩形穴４６の周縁部を挟持した状態でスライド部材１４をスライドさせることで、スライド部材１４のガタを少なくすることができ、また、スライド部材１４をスムーズにスライドさせることができる。
【００４７】
また、係合片３４と係合部５２とで左右方向にズレが生じている場合でも、係合部５２の左右方向の幅を係合片３４の左右方向の幅の方よりも長くしているため、係合部５２に係合片３４を係合させるとき、或いは係合部５２に係合片３４を係合させた後でも、係合部５２と係合片３４とを相対移動させることができ、浴槽６６の周壁６６Ａとエプロン７２の左右方向の位置ズレも吸収することができる。
【００４８】
さらに、係合片３４と係合部５２とで前後方向にズレが生じている場合でも、雌部材１２の底部３８に長穴部４２を設けているため、雌部材１２を堰部７０の上面７０Ａで移動させ、係合片３４と係合部５２との前後方向の位置ズレを吸収することができる。
【００４９】
なお、ここでは、堰部７０に雌部材１２を固定して、エプロン７２の下フランジ部７４側に雄部材１６を固定したが、堰部７０に雄部材１６を固定して、エプロン７２の下フランジ部７４側に雌部材１２を固定しても良い。
【００５０】
また、図４に示すように、エプロン７２に、下フランジ部７４と平行に下フランジ部７４よりも長く張り出すホルダー片８０を設け、このホルダー片８０を堰部７０の上面７０Ａに当接させて、エプロン７２の自重を受けるようにしても良い。
【００５１】
ホルダー片８０は、エプロン７２が浴槽６６（図２参照）の周壁６６Ａ（図２参照）を覆った状態で、ホルダー片８０の下面と堰部７０の上面７０Ａとの間に、隙間が生じる高さに予め設定しており、雄部材１６を雌部材１２に係合させ、エプロン７２の上下方向の位置決めを行った後、ホルダー片８０の下面と堰部７０の上面との間に生じる隙間にスペーサ８２を入れて高さ調整を行う。
【００５２】
これにより、係合片３４に掛かるエプロン７２の自重をホルダー片８０で受けることができ、クリープによる係合片３４の変形等を防止し、クリップ１０の寿命を長くすることができる。
【００５３】
また、スライド部材１４を雌部材１２の上下方向に対してスライドさせたが、エプロン７２の取付方法によっては、左右方向に対してスライドさせても良く、また、必ずしもエプロンの一端側を支点として他端側を回動させて取り付ける方法に限るものではない。さらに、クリップ１０を浴槽エプロンの取付に用いたが、これに限るものではなく、２つの部材を互いに係合させるために用いるクリップであればよい。
【００５４】
【発明の効果】
本発明は上記構成としたので、請求項１に記載の発明では、雌部材と係合片との間で位置ズレが生じたとしても、スライド部材を介して雌部材と係合片とを係合させることで、スライド部材をスライドさせて該位置ズレを吸収することができ、係合片に無理な負荷を掛けない状態で、係合片を係合部に係合させることができる。従って、無理な係合による係合片の破損の恐れはない。
【００５５】
また、平板部と爪部とで矩形穴の周縁部を挟持して、スライド部材を矩形穴に係合させることで、スライド部材をスライドさせるときに、スライド部材のガタを少なくすることができ、スライド部材をスムーズにスライドさせることができる。
【００５６】
さらに、スライド部材及び係合片を介して、雌部材に対して垂直方向及び水平方向において他の部材を相対移動させることができるので、一方の部材と他の部材との垂直方向及び水平方向の位置ズレを吸収することができる。
【００５７】
請求項２に記載の発明では、係合部に対する係合片の上下方向の位置に応じて、スライド部材を介して係合部を移動させることで、係合部との位置ズレによる係合片の破損の恐れもなく、また、浴槽にエプロンを取り付ける際にスムーズな取付が可能となる。
【図面の簡単な説明】
【図１】本発明の実施の形態に係るクリップ及びクリップと係合する雄部材を示す斜視図である。
【図２】本発明の実施の形態に係る浴槽用エプロンの取付構造を示す断面図である。
【図３】本発明の実施の形態に係る浴槽用エプロンの取付構造を示す断面図であり、（Ａ）は係合部に係合片を係合させる前の状態を示し、（Ｂ）は係合させた状態を示している。
【図４】本発明の実施の形態に係る浴槽用エプロンの取付構造の変形例を示す断面図である。
【図５】従来の浴槽用エプロンの取付構造を示す断面図である。
【図６】従来の浴槽用エプロンの取付構造を示す断面図であり、（Ａ）は係合部に係合片を係合させる前の状態を示し、（Ｂ）は係合させた状態を示している。
【符号の説明】
１０      クリップ
１２      雌部材
１４      スライド部材
３４      係合片
４８      平板部
５２      係合部
５８      爪部
７０      堰部
７４      下フランジ部（フランジ部）
【図１】
0003677008.tif 000002
【図２】
0003677008.tif 000003
【図３】
0003677008.tif 000004
【図４】
0003677008.tif 000005
【図５】
0003677008.tif 000006
【図６】
0003677008.tif 000007